(57)【要約】【課題】ネジゆるみ止め材による煩雑なネジ固定作業を必要とせず、しかも従来と同様にＩ-Ｔ特性を調整することができる配線用遮断器を提供する。【解決手段】熱動引き外し式の配線用遮断器に関するもので、金属製の引き外し機構部３０を構成する引き外し構造体１の上端部に形成された孔部２０に合成樹脂製のネジ締め込み部材１９を取付け、このネジ締め込み部材１９に形成されたネジ締め込み孔２１にバイメタルの調整ネジ６をねじ込んで保持させる。合成樹脂製のネジ締め込み部材１９によって調整ネジ６が保持されるので、従来のようなネジゆるみ止め材による調整ネジ６の固定作業が不要となる。【選択図】図４
2008059958.tif 000002
【特許請求の範囲】
【請求項１】
熱動引き外し式の配線用遮断器において、金属製の引き外し機構部に合成樹脂製のネジ締め込み部材を取付け、このネジ締め込み部材にバイメタルの調整ネジを保持させたことを特徴とする配線用遮断器。
【請求項２】
ネジ締め込み部材が引き外し機構部を構成する引き外し構造体の孔部に嵌め込まれたことを特徴とする請求項１記載の配線用遮断器。
【請求項３】
ネジ締め込み部材が調整ネジの外径よりも小径のネジ締め込み孔を備え、調整ネジを締め込むことにより拡径させて引き外し構造体の孔部に固定させたことを特徴とする請求項２記載の配線用遮断器。
【請求項４】
調整ネジとして、いたずら防止ネジを用いたことを特徴とする請求項１記載の配線用遮断器。
【発明の詳細な説明】
【技術分野】
【０００１】
本発明は、熱動引き外し式の配線用遮断器に関するものであり、さらに詳細には金属製の引き外し機構部を備えた配線用遮断器に関するものである。
【背景技術】
【０００２】
熱動引き外し式の配線用遮断器は、負荷電流が流れるバイメタルに隣接させて引き外し構造体を設け、過電流によるバイメタルの変形を引き外し構造体に伝達して引き外し機構を動作させる構造となっている。この引き外し構造体にはバイメタルとの間のギャップを変更してＩ-Ｔ特性、すなわち電流‐時間特性を調整するための、バイメタルの調整ネジが取り付けられている。この他にも、バイメタル固定用の金具を調整ネジで変形させて調整する構造や、バイメタルにタップを切って調整ネジを取り付ける構造のものもある。
【０００３】
この引き外し構造体の材質はブレーカの性能に応じて金属製のもの（特許文献１）や、合成樹脂製のもの（特許文献２）があり、金属製の場合にはＩ-Ｔ特性を調整したのち、ネジゆるみ止め材を塗布して調整ネジを固定していた。金属製のものでは合成樹脂製のものより剛性が高いため部品形状を薄くすることができ製品の小型化になり、熱動引き外し式の場合で電磁式の場合は可動鉄片と引き外し部材を兼用することもできる。しかし、ネジゆるみ止め材は乾燥までに時間を要すること、場合によっては乾燥機等の専用装置が必要になること、他の箇所に垂れて不具合を招くおそれがあることなどの問題があり、作業時の煩わしさが多大であった。
【０００４】
一方、引き外し構造体が合成樹脂製の場合には、ネジゆるみ止め材を使用せずに合成樹脂自体の粘性によるネジ固定が可能である。しかし、引き外し構造体を合成樹脂製のものとすると、金属製のものと比べて肉厚・大型化となり、製品の小型化を阻害するという問題があった。
【特許文献１】特開平９‐１８０６１８号公報
【特許文献２】特開平７‐２２０６０７号公報
【発明の開示】
【発明が解決しようとする課題】
【０００５】
従って本発明の目的は従来の問題点を解決し、ネジゆるみ止め材による煩雑なネジ固定作業を必要とせず、しかも従来と同様にＩ-Ｔ特性を調整することができる配線用遮断器を提供することである。
【課題を解決するための手段】
【０００６】
上記の課題を解決するためになされた本発明は、熱動引き外し式の配線用遮断器において、金属製の引き外し機構部に合成樹脂製のネジ締め込み部材を取付け、このネジ締め込み部材にバイメタルの調整ネジを保持させたことを特徴とするものである。
【０００７】
なお、ネジ締め込み部材が引き外し構造体の孔部に嵌め込まれたものであることが好ましく、その場合、ネジ締め込み部材が調整ネジの外径よりも小径のネジ締め込み孔を備え、調整ネジを締め込むことにより拡径させて引き外し構造体の孔部に固定される構造とすることが好ましい。また、調整ネジとしていたずら防止ネジを用いることが好ましい。
【発明の効果】
【０００８】
本発明の配線用遮断器は、金属製の引き外し機構部に合成樹脂製のネジ締め込み部材を取付け、このネジ締め込み部材にバイメタルの調整ネジを保持させたものであるから、従来のようなネジゆるみ止め材を用いず、ネジ締め込み部材の粘性によって調整ネジを固定することができる。このため組立作業を簡素化することができ、しかも従来と同様にＩ-Ｔ特性を調整することができる。
【発明を実施するための最良の形態】
【０００９】
以下に図面を参照しつつ、本発明の好ましい実施形態を示す。
図１は本発明の配線用遮断器の全体図であり、図２はその要部の斜視図である。１は引き外し片を兼ねる金属製の引き外し構造体であり、２は引き外し構造体１に対向して設けられたコ字状の固定鉄片である。引き外し構造体１、固定鉄片２、後述するバイメタル5などで金属製の引き外し機構部３０を構成している。引き外し構造体１の下端は復帰バネ３を介して固定鉄片２の基部４に弾性的に支持されており、固定鉄片２による吸着が可能な構造となっている。引き外し構造体１の上端は水平に屈曲されたうえで更に下向きに屈曲されており、この部分にバイメタル５とのギャップを調整するための調整ネジ６が取り付けられている。
【００１０】
本発明の要部である調整ネジ６の取付構造については、後に詳述するが、先に全体構造を簡単に説明する。７は先端に可動接点８を備えた可動接触子であり、ハンドル９と連動して昇降する押圧片１０が下降すると可動接触子７は押し下げられ、可動接点８が固定接点１１と接触してオン状態となる。固定鉄片２の内部にはバイメタル５が設けられており、電源側端子１２からより線１３を介して導かれた電流が、バイメタル５の上部から固定鉄片２を介して可動接触子７に流れるようなっている。接点がオンのとき、電流は固定接触子１４、負荷側端子１５に流れる。
【００１１】
ハンドル９の下部にはリンク１６、ラッチ１７が設けられており、ラッチ１７の先端が引き外し構造体１に形成された係合孔１８に掛かっている。このため、引き外し構造体１の上部がバイメタル５または固定鉄片３によってラッチ１７の先端から遠ざかる方向に動かされると、ラッチ１７が下方に外れ、引き外し機構により可動接触子７が上方に移動して接点がオフとなることは従来と同様である。
【００１２】
図３、図４に示されるように、本発明では金属製の引き外し機構部３０を構成している引き外し構造体１に合成樹脂製のネジ締め込み部材１９を取付け、このネジ締め込み部材１９にバイメタルの調整ネジ６を保持させてある。この実施形態では、引き外し構造体１の上端から下向きに垂下した部分にＵ字状の孔部２０が設けられており、合成樹脂製のネジ締め込み部材１９はこのＵ字状の孔部２０に前方から嵌め込むことができる形状となっている。ネジ締め込み部材１９の材質は、例えばポリアセタールのような適度の粘性を持つ樹脂であることが好ましい。
【００１３】
ネジ締め込み部材１９のほぼ中央部には、ネジ締め込み孔２１が形成されている。その位置は、Ｕ字状の孔部２０の底部の曲率中心と一致させておくことが好ましい。このネジ締め込み孔２１は調整ネジ６の外径よりもやや小径であり、図５に示すようにネジ締め込み孔２１に調整ネジ６を締め込むことによりネジ締め込み部材１９を拡径させ、引き外し構造体１の孔部２０に確実に固定されるようになっている。
【００１４】
なお、図５に示すようにネジ締め込み部材１９の先端を二つ割状として弾性を持たせたり、先端に係合爪２２を形成することが好ましい。また図６に示すように引き外し構造体１の孔部２０の底部に凹凸２３を形成し、ネジ締め込み部材１９がより確実に固定されるようにすることができる。さらにネジ締め込み部材１９の下端部には突起２４を垂下させ、その前面を孔部２０の下部の垂直面２５と係合させることにより、引き外し構造体１に対する位置決めを行うことが好ましい。また、本発明はネジゆるみ止め材を塗布しない構造であるので、調整作業をする作業者以外でも調整後に変更できてしまうため、調整ネジの形状を、通常のプラスドライバやマイナスドライバ以外の異形溝のいたずら防止ネジとし、専用工具以外では調整できないようにしておくことが好ましい。
【００１５】
このように構成された本発明の配線用遮断器を組立てるには、まずバイメタル５及び引き外し構造体１を固定鉄片２の基部４に取り付けたうえ、引き外し構造体１の孔部２０に合成樹脂製のネジ締め込み部材１９を嵌め込み、調整ネジ６を締め込む。これによってネジ締め込み部材１９は引き外し構造体１の孔部２０に固定されるとともに、調整ネジ６を保持する。そしてバイメタル５の仮調整を行い、引き外し機構部３０の部品として完成させる。
【００１６】
その後、その他の部品とともにケースに組み入れ、最後にＩ-Ｔ特性試験を行う。この試験で規格範囲を外れたものについて調整ネジ６を進退させてバイメタル５とのギャップを変化させ、Ｉ-Ｔ特性を再調整する。調整ネジ６は合成樹脂製のネジ締め込み部材１９により保持されており、再調整を行ってもその位置で確実に保持される。従って従来のようなネジゆるみ止め材の塗布は不要となり、金属製の引き外し機構部３０に調整ネジ６を簡便かつ確実に取り付けることが可能である。
【００１７】
なおこの実施形態では合成樹脂製のネジ締め込み部材１９は引き外し片と可動鉄片を兼ねた引き外し構造体１に取り付けたもので説明したが、引き外し構造体１以外にも固定鉄片２やバイメタル５、その他本実施形態では用いられていないバイメタル固定用金具などの、金属製の引き外し機構部３０の何れかの部品に取り付けたものであればよい。
【図面の簡単な説明】
【００１８】
【図１】本発明の配線用遮断器の全体図である。
【図２】要部の斜視図である。
【図３】引き外し構造体に調整ネジを取り付けた状態の斜視図である。
【図４】図３の分解斜視図である。
【図５】引き外し構造体に調整ネジを取り付ける手順を示す断面図である。
【図６】他の実施形態を示す部分拡大斜視図である。
【符号の説明】
【００１９】
１  金属製の引き外し構造体
２  固定鉄片
３  復帰バネ
４  固定鉄片の基部
５  バイメタル
６  調整ネジ
７  可動接触子
８  可動接点
９  ハンドル
１０  押圧片
１１  固定接点
１２  電源側端子
１３  より線
１４  固定接触子
１５  負荷側端子
１６  リンク
１７  ラッチ
１８  係合孔
１９  合成樹脂製のネジ締め込み部材
２０  孔部
２１  ネジ締め込み孔
２２  係合爪
２３  凹凸
２４  突起
２５  垂直面
３０  金属製の引き外し機構部
【図１】
2008059958.tif 000003
【図２】
2008059958.tif 000004
【図３】
2008059958.tif 000005
【図４】
2008059958.tif 000006
【図５】
2008059958.tif 000007
【図６】
2008059958.tif 000008